【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
組織と係合する固定装置であって、
１対の要素を有し、各々の要素は、第一端部と、前記第一端部とは反対側の自由端と、前記第一端部と自由端との間にあり、かつ、組織と係合するための係合面とを備え、前記第一端部は、前記自由端が間隔を隔てている開位置と、前記自由端が互いに接近する閉位置との間の範囲内で移動できるようになっており、
さらに、前記要素に連結された可動スタッドを有し、前記スタッドの移動により、前記要素が前記範囲内で移動するようになっており、
さらに、前記要素に連結されており、かつ、前記要素を所定位置にロックするためのロッキング機構を有する、
ことを特徴とする固定装置。
【請求項２】
前記ロッキング機構は、バインディングプレートを備え、前記バインディングプレートは、第一端部と、第二端部と、前記第一端部と前記第二端部との間にあり、スタッドの移動を拘束するように前記スタッドと係合する形状を有する部分とを備えており、前記バインディングプレートは、前記部分がスタッドの近くに配置されるように位置決めされることを特徴とする、請求項１記載の固定装置。
【請求項３】
前記部分および前記バインディングプレートは、前記部分が前記スタッドの少なくとも一部を包囲するように形成されて配置されることを特徴とする、請求項２記載の固定装置。
【請求項４】
前記部分は孔を有し、前記孔は前記スタッドを包囲し、前記バインディングプレートは、前記スタッドが前記孔を通るように配置されることを特徴とする、請求項３記載の固定装置。
【請求項５】
前記ロッキング機構は、更に、前記孔を前記スタッドに対して押し付けて、前記孔を通る前記スタッドの移動を拘束するスプリングを有することを特徴とする請求項４記載の固定装置。
【請求項６】
アンロッキング機構を更に有し、前記アンロッキング機構はハーネスを有し、前記ハーネスは、前記スタッドの少なくとも一部を包囲する部分の摩擦係合を低減させるように、前記第一端部が実質的に静止している間に、前記バインディングプレートの前記第二端部を移動させることができるようになっていることを特徴とする、請求項３記載の固定装置。
【請求項７】
前記ロッキング機構を係合離脱させて、前記要素が移動できるようにするアンロッキング機構を更に有することを特徴とする、請求項１記載の固定装置。
【請求項８】
前記ロッキング機構は、前記範囲のサブ範囲内において、前記要素の移動を可能にするようになっていることを特徴とする、請求項１記載の固定装置。
【請求項９】
前記可動スタッドは、前記スタッドは少なくとも１つのくさび要素が係合する少なくとも１つの外側溝を備え、前記少なくとも１つの外側溝は、少なくとも１つのくさび要素が、前記サブ範囲内で移動することを可能にし、前記少なくとも１つの外側溝内で変位することを可能にするような寸法を有することを特徴とする、請求項８記載の固定装置。
【請求項１０】
前記ロッキング機構は、前記スタッドの移動を拘束するように、前記スタッドと摩擦係合する少なくとも１つのくさび要素を有することを特徴とする、請求項８記載の固定装置。
【請求項１１】
前記少なくとも１つのくさび要素は、少なくとも部分的に可撓性を有する材料からなり、前記材料の撓みにより、前記要素を前記サブ範囲内で移動させることができるようにしたことを特徴とする、請求項１０記載の固定装置。
【請求項１２】
前記少なくとも１つのくさび要素はバインディングレバーを有し、前記バインディングレバーは、第一端部と、第二端部と、前記第一端部と前記第二端部との間にあって、前記スタッドの少なくとも一部を包囲する形状を有する部分とを備え、前記バインディングレバーは、前記部分が前記スタッドの少なくとも一部を包囲するように配置されることを特徴とする、請求項１０記載の固定装置。
【請求項１３】
前記スタッドの少なくとも一部を包囲する形状を有する部分は孔を有し、前記バインディングレバーは、前記スタッドが前記孔を通るように配置されることを特徴とする、請求項１２記載の固定装置。
【請求項１４】
前記要素は心臓内の弁のリーフレットと係合できるように構成され、前記サブ範囲内の前記要素の移動は、前記弁を通るダイナミック流体流により発生される力により達成されることを特徴とする、請求項８記載の固定装置。
【手続補正２】
【補正対象書類名】明細書
【補正対象項目名】００７３
【補正方法】変更
【補正の内容】
【００７３】
図１２Ａから図１２Ｄには、少なくとも１つの係合要素を備えたロッキング機構１０６の他の実施形態が示されている。この実施形態では、少なくとも１つの係合要素は、スタッド７４の少なくとも１つの溝と係合して、前記スタッド７４を所定位置にロックするための少なくとも１つの突出部を有している。図１２Ａは、本発明のスタッド７４の一実施形態を示し、スタッド７４は、その表面に沿って外側溝（この実施形態では雄ねじ５００）を有している。この実施形態では、スタッド７４は、この一端がベース６９に取付けられかつツール１０のシャフト１２に連結できる、ねじ付自由端５０２を備えているものが示されている。外側溝、すなわち、ねじ５００は、スタッド７４の表面に沿って任意の距離に亘って配置でき、かつ、ねじの深さ、または、間隔を任意に定めることができることは理解されよう。また、外側溝を、スタッド７４の周囲に延びている（または、延びていない）一連のカット、凹部、または、ねじで形成できることも理解されよう。図１２Ｂには、溝を備えた少なくとも１つの係合要素（この例ではスプリットナット５０６）を有する実施形態が示されている。スプリットナット５０６は、スタッド７４の雄ねじ５００と係合するサイズを有する湾曲ねじ面を有している。各スプリットナット５０６には少なくとも１つのヒンジコンポーネント５１０を設けることもできる。このヒンジコンポーネント５１０は、ロッキング機構１０６内で各スプリットナット５０６を回転させ、または、それを直線移動させ、スタッド７４の雄ねじ５００と係合または係合離脱させるのに使用される。
【手続補正３】
【補正対象書類名】明細書
【補正対象項目名】００７５
【補正方法】変更
【補正の内容】
【００７５】
本発明の多くのロッキング機構は、固定装置１４を単一の所定位置にロックすることができる。かくして、遠位側要素１８を閉じかつ多数の任意の位置のうちの１つで所定位置にロックするのではなく、遠位側要素１８は、例えば、１５°、３０°、４５°、または、６０°の角度の単一所定位置で閉じられ、かつ、ロックされる。例えば、前述のように、スタッド７４には、バーベル１１０を受入れる単一溝８２または凹部を設けることができる。これは、バーベル１１０を単一位置に定置させかつ固定装置１４が既知の形態にロックされたことを使用者に知らせることにより、より迅速なロッキングを行う。同様に、図１２Ｄには、図１２Ｃの実施形態と同様なロッキング実施形態が示されている。この場合、スプリットナットではなく、スプリットリング５０７が、スタッド７４の両側に配置される。スプリットリング５０７は、スタッド７４の溝５０１と係合できるサイズをもつ湾曲した突出部５０９を有している。
【手続補正４】
【補正対象書類名】明細書
【補正対象項目名】００７６
【補正方法】変更
【補正の内容】
【００７６】
各スプリットリング５０７はまた、ロッキング機構１０６内で各スプリットリングを回転させ、または、直線移動させ、スタッド７４の溝５０１と係合させ、または、スタッド７４の溝５０１から係合離脱させるのに使用される少なくとも１つのヒンジコンポーネント５１０を有する。例えば、スプリットリング５０７は、突出部５０９が溝５０１と係合しないようにして回転され、または、直線移動される。この位置では、スタッド７４は自由に移動できる。かくして、スプリットリング５０７が外方に回転され、または、直線移動されるとき、ロッキング機構１０６はアンロック位置にあり、前記位置では、スタッド７４がアクチュエータ機構５８、従って、遠位側要素１８を自由に移動させることができる。スプリットリング５０７を内方に回転させ、または、直線移動させると、湾曲した突出部５０９と溝５０１とが係合される。この係合により、所定位置でのスタッド７４の移動、所定位置での遠位側要素１８のロッキングが防止される。任意数のコンポーネンツを設けることができ、各コンポーネントは、上記のように機能する任意の適当な形状にすることができる。
【手続補正５】
【補正対象書類名】明細書
【補正対象項目名】０１０１
【補正方法】変更
【補正の内容】
【０１０１】
【図１】ロッキング機構の一実施形態を備えた固定装置の一実施形態を示す図面である。
【図２】ロッキング機構の一実施形態を備えた固定装置の他の実施形態を示す図面である。
【図３】図１のロッキング機構の正面図である。
【図４Ａ】図３のロッキング機構が非ロック位置にあるところを示す図面である。
【図４Ｂ】図３のロッキング機構の解放ハーネスを示す斜視図である。
【図４Ｃ】図３のロッキング機構がロック位置にあるところを示す図面である。
【図５】バインディングプレートを備えたロッキング機構の一実施形態の要素を示す図面である。
【図６】バインディングプレートを備えたロッキング機構の一実施形態の要素を示す図面である。
【図７】バインディングプレートを備えたロッキング機構の一実施形態の要素を示す図面である。
【図８Ａ】ワンサイド解放ハーネスを備えたロッキング機構の一実施形態を示す図面である。
【図８Ｂ】ワンサイド解放ハーネスを備えたロッキング機構の一実施形態を示す図面である。
【図９Ａ】バインディング構造を有するくさび要素を備えたロッキング機構の一実施形態を示す図面である。
【図９Ｂ】バインディング構造を有するくさび要素を備えたロッキング機構の一実施形態を示す図面である。
【図９Ｃ】バインディング構造を有するくさび要素を備えたロッキング機構の一実施形態を示す図面である。
【図１０Ａ】交差指型構造体を有するくさび要素を備えたロッキング機構の一実施形態を示す図面である。
【図１０Ｂ】交差指型構造体を有するくさび要素を備えたロッキング機構の一実施形態を示す図面である。
【図１０Ｃ】交差指型構造体を有するくさび要素を備えたロッキング機構の一実施形態を示す図面である。
【図１１Ａ】１対のカムを備えたロッキング機構の一実施形態を示す図面である。
【図１１Ｂ】１対のカムを備えたロッキング機構の一実施形態を示す図面である。
【図１２Ａ】互いに係合してロッキングする少なくとも１つの突出部および溝を備えた係合可能なコンポーネンツを有するロッキング機構の要素の一実施形態を示す図面である。
【図１２Ｂ】互いに係合してロッキングする少なくとも１つの突出部および溝を備えた係合可能なコンポーネンツを有するロッキング機構の要素の一実施形態を示す図面である。
【図１２Ｃ】互いに係合してロッキングする少なくとも１つの突出部および溝を備えた係合可能なコンポーネンツを有するロッキング機構の要素の一実施形態を示す図面である。
【図１２Ｄ】互いに係合してロッキングする少なくとも１つの突出部および溝を備えた係合可能なコンポーネンツを有するロッキング機構の要素の一実施形態を示す図面である。
【図１３Ａ】ギヤを備えたロッキング機構の一実施形態を示す図面である。
【図１３Ｂ】ギヤを備えたロッキング機構の一実施形態を示す図面である。
【図１３Ｃ】ギヤを備えたロッキング機構の一実施形態を示す図面である。
【図１４Ａ】固定装置のスタッドを前進させる押圧力に抗して作用するロッキング機構の一実施形態を示す図面である。
【図１４Ｂ】固定装置のスタッドを前進させる押圧力に抗して作用するロッキング機構の一実施形態を示す図面である。
【図１４Ｃ】固定装置のスタッドを前進させる押圧力に抗して作用するロッキング機構の一実施形態を示す図面である。
【図１４Ｄ】固定装置のスタッドを前進させる押圧力に抗して作用するロッキング機構の一実施形態を示す図面である。
【図１５Ａ】固定装置のスタッドを前進させる押圧力に抗して作用するロッキング機構の一実施形態を示す図面である。
【図１５Ｂ】固定装置のスタッドを前進させる押圧力に抗して作用するロッキング機構の一実施形態を示す図面である。
【図１６Ａ】スタッドに代わる可撓性ラインを備えた固定装置であって、ロッキング機構が、可撓性ラインを前進させる押圧力に抗して作動する構成の固定装置を示す図面である。
【図１６Ｂ】スタッドに代わる可撓性ラインを備えた固定装置であって、ロッキング機構が、可撓性ラインを前進させる押圧力に抗して作動する構成の固定装置を示す図面である。
【図１７Ａ】閉位置方向にばね押圧された脚を備えた固定装置の一実施形態を示す図面である。
【図１７Ｂ】固定装置の遠位側要素を閉位置方向に押圧する支持スリーブを使用する実施形態を示す図面である。
【図１７Ｃ】固定装置の遠位側要素を閉位置方向に押圧する支持スリーブを使用する実施形態を示す図面である。
【図１８Ａ】締付けバンドを備えた押圧部材の一実施形態を示す図面である。
【図１８Ｂ】締付けバンドを備えた押圧部材の一実施形態を示す図面である。
【図１８Ｃ】締付けバンドを備えた押圧部材の一実施形態を示す図面である。
【図１９Ａ】締付けバンドを備えた押圧部材の一実施形態を示す図面である。
【図１９Ｂ】締付けバンドを備えた押圧部材の一実施形態を示す図面である。
【図１９Ｃ】締付けバンドを備えた押圧部材の一実施形態を示す図面である。
【図２０】固定位置において脚にくっ付き、脚を保持する棘状部材を備えたロッキング機構を示す図面である。
【図２１Ａ】脚への棘状部材の取付けを示す図面である。
【図２１Ｂ】脚への棘状部材の取付けを示す図面である。
【図２１Ｃ】脚への棘状部材の取付けを示す図面である。
【図２２】本発明のロッキング機構の一実施形態を備えたカテーテルを示す図面である。
【図２３】本発明のロッキング機構の一実施形態を備えた把持器を示す図面である。
【手続補正６】
【補正対象書類名】図面
【補正対象項目名】図１２Ｄ
【補正方法】追加
【補正の内容】
【図１２Ｄ】
2007537025.tif 000001
【手続補正７】
【補正対象書類名】図面
【補正対象項目名】図１２Ｅ
【補正方法】削除
【補正の内容】